(57)【要約】      （修正有）【課題】片手で容易に操作ができ、且つ、構造がシンプルであり、市販の道具を活用して製造可能であり、経済的にも優れたペットボトル用キャップオープナー。【解決手段】挟扼部１１ａ、１１ｂと把持部１２ａ、１２ｂを備える２個のアーム１３ａ、１３ｂを互いに対向させて交点を支点１４として枢着し、挟扼部が発条１５によって互いに離反するように構成され、オートロック手段とロック解除手段を有し、挟扼部の内側に弾性素材からなる滑り防止部材６を設けたクランプ４を、挟扼部の開閉方向が基板面とほぼ平行になるように基板５上に載置し、何れか一方のアームを基板面に固着するとともに、クランプ固着面の反対側の基板面に滑り防止部材を設けてなる。【選択図】図１
0003138734.tif 000002
【実用新案登録請求の範囲】
【請求項１】
平面上に載置して片手で操作できるキャップオープナーであって、挟扼部と把持部を備える２個のアームを互いに対向させて交点を支点として枢着し、挟扼部が発条によって互いに離反するように構成され、把持部の停止位置でロックされるオートロック手段とロック解除手段を有し、挟扼部の内側に弾性素材からなる滑り防止部材を設けたクランプを、挟扼部の開閉方向が基板面とほぼ平行になるように基板上に載置し、前記２個のアームの中の何れか一方のアームを前記基板面に固着するとともに、該クランプ固着面の反対側の基板面に滑り防止部材を設けてなることを特徴とするペットボトル用キャップオープナー。
【請求項２】
着脱容易な固定具でクランプを平板上に着脱自在に固定することによって片手で操作できるキャップオープナーであって、挟扼部と把持部を備えた２個のアームを互いに対向させて交点を支点として枢着し、挟扼部が発条によって互いに離反するように構成され、把持部の停止位置でロックされるオートロック手段とロック解除手段を有し、挟扼部の内側に弾性素材からなる滑り防止部材を設けたクランプにおいて、前記２個のアームの中の何れか一方のアームに挟扼部の開閉方向と平行な面に前記固定具を固着してなることを特徴とするペットボトル用キャップオープナー。
【請求項３】
前記固定具がクリップ状固定具であり、前記クランプの何れか一方のアームに前記クリップの狭持部を開閉自在に固着してなることを特徴とする請求項２記載のペットボトル用キャップオープナー。
【請求項４】
前記クランプにおける基板面に固着し或いは前記固定具又はクリップを固着するアームは、ロック解除手段のロック解除レバーを操作する方の把持部を備えたアームと対向して設けられる側のアームであり、係るアームを基板面に固着し或いは係るアームに前記固定具又はクリップを固着してなることを特徴とする請求項１、２又は３記載のペットボトル用キャップオープナー。
【請求項５】
前記クランプの挟扼部を閉じた状態において、挟扼部の内側が４角形、５角形及び６角形の何れかからなることを特徴とする請求項１、２又は３記載のペットボトル用キャップオープナー。
【考案の詳細な説明】
【技術分野】
【０００１】
本考案は、片手の不自由な人が、ペットボトルのキャップを開閉する際に、もう一方の正常な片手のみでも開閉操作が容易なペットボトル用キャップオープナーに関するものである。
【背景技術】
【０００２】
一般に緑茶、ウーロン茶、麦茶、飲料水、ジュース類などは、ペットボトルに詰めて栓で密封して販売されているが、この種のペットボトル入りの飲料は内部の気密性を保つため或いは輸送時の不慮の開栓を防ぐために、図３又は図４に示すようにキャップ２７の下端周縁をその下部のリング状部材２８に結合しボトルネック部に固着してある。このペットボトルを開栓するには、片手でペットボトルを抑えて、もう一方の手の指で栓を把持して旋回しながら、リング状部材２８との接続部を切り離す操作により行われるが、前述の如くキャップは固くボトルネック部に螺着しているので、容易に開栓することは困難な場合が多い。まして、片手のみで開栓することは、不可能に近い。
【０００３】
従来、ペットボトル用キャップオープナーにかかる考案が開示されている（特許文献１）。この考案は、一対の挟圧杆を対向して枢着し、挟圧杆の内側面に湾曲する防活部材を対向して設け、挟圧杆の基端近くにバネ部材を設けて離反させるように構成してなる。係るオープナーは、テコの原理により小さな力で蓋の開閉ができるものの、本考案に備えられるオートロック手段とロック解除手段を備えていないので、挟圧杆から手を離すと両挟圧杆は離反し、挟圧杆を片手で挟圧しつつもう一方の手でキャップを捻って開栓しなければならず、したがって片手のみで開栓操作をすることができないという問題があった。また、特許文献２に記載の発明は、片手でも開け閉めできるキャップオープナーとあるが、構造が複雑であり、係る専用のキャップオープナーを設計製造するためのコストアップが避けられないという問題がある。
【特許文献１】実登３０４７９６７号公報
【特許文献２】特開２００７−２６１６８１号公報
【考案の開示】
【考案が解決しようとする課題】
【０００４】
本願考案者は、病気や怪我で片手が不自由な人が、日常生活の中で両手が使えれば苦もなくできる作業が片手のみでは実に苦労することを体験して、このようなことで困っている大勢の人たちが片手のみで容易にペットボトルのキャップが開閉できる道具ができないかと鋭意研究して完成に至ったものであり、本考案の主たる目的は、片手で簡単に操作ができ、且つ、構造がシンプルであり、汎用の道具を活用して経済的にリーズナブルな価格で製造販売できるペットボトル用キャップオープナーを提供することにある。
【課題を解決するための手段】
【０００５】
前記の課題を解決するために、本考案は、平面上に載置して片手で操作できるキャップオープナーであって、挟扼部と把持部を備える２個のアームを互いに対向させて交点を支点として枢着し、挟扼部が発条によって互いに離反するように構成され、把持部の停止位置でロックされるオートロック手段とロック解除手段を有し、挟扼部の内側に弾性素材からなる滑り防止部材を設けたクランプを、挟扼部の開閉方向が基板面とほぼ平行になるように基板上に載置し、前記２個のアームの中の何れか一方のアームを前記基板面に固着するとともに、該クランプ固着面の反対側の基板面に滑り防止部材を設けてなることを特徴とするペットボトル用キャップオープナーとする（請求項１）。
【０００６】
また、前記の課題を解決するために、本考案は、着脱容易な固定具でクランプを平板上に着脱自在に固定することによって片手で操作できるキャップオープナーであって、挟扼部と把持部を備えた２個のアームを互いに対向させて交点を支点として枢着し、挟扼部が発条によって互いに離反するように構成され、把持部の停止位置でロックされるオートロック手段とロック解除手段を有し、挟扼部の内側に弾性素材からなる滑り防止部材を設けたクランプにおいて、前記２個のアームの中の何れか一方のアームに挟扼部の開閉方向と平行な面に前記固定具を固着してなることを特徴とするペットボトル用キャップオープナーとする（請求項２）。
【０００７】
また、前記の課題を解決するために、本考案は、前記固定具がクリップ状固定具であり、前記クランプの何れか一方のアームに前記クリップの狭持部を開閉自在に固着してなることを特徴とする前記のペットボトル用キャップオープナーとすることが好ましい（請求項３）。
【０００８】
また、前記の課題を解決するために、本考案は、前記クランプにおける基板面に固着し或いは前記固定具又はクリップを固着するアームは、ロック解除手段のロック解除レバーを操作する方の把持部を備えたアームと対向して設けられる側のアームであり、係るアームを基板面に固着し或いは係るアームに前記固定具又はクリップを固着してなることを特徴とする前記のペットボトル用キャップオープナーとすることが好ましい（請求項４）。
【０００９】
また、前記の課題を解決するために、本考案は、前記クランプの挟扼部を閉じた状態において、挟扼部の内側が４角形、５角形及び６角形の何れかからなることを特徴とする前記のペットボトル用キャップオープナーとすることが好ましい（請求項５）。
【考案の効果】
【００１０】
本考案のペットボトル用キャップオープナーは、前記のように構成したことによって、ペットボトル本体が基板に固定されると共に、基板の裏側に設けた滑り止め材によって基板がテーブル等の載置面に固定されているので手で抑えなくてもよく、片手が不自由な人であっても、正常な方の片手のみでペットボトルのキャップを簡単に開閉できるので、片手が不自由な人たちにとっては長年に渡って待ち望んでいた必需品の一つになると期待される。クリップ状固定具をクランプに設けたものも同様の効果を奏する。しかも、何れのものも大きさが嵩張らずコンパクト且つ軽量であるので、鞄などに詰めて簡単に持ち運びができ、必要に応じて取り出して使用できるので極めて便利である。また、構造もシンプルで故障することがなく、市販のクランプを用いて製作することも可能であり、経済的にも優れた効果を奏する。
【考案を実施するための最良の形態】
【００１１】
以下、図面に基づいて本考案を実施するための最良の形態について説明する。図１は、本考案に係るペットボトル用キャップオープナーを実施するための最良の形態の第一例を示す平面図、図２は、同じく第二例を示す平面図、図３は、同じく第一例に係るペットボトル用キャップオープナーの使用例を示す斜視図、図４は、同じく第二例に係るペットボトル用キャップオープナーの使用例を示す斜視図である。
【００１２】
前記の図１及び図３の第一例に示すペットボトル用キャップオープナー１は、オートロック手段２とロック解除手段３を有するクランプ４と、このクランプを固着する基板５と、基板の裏側に設けた滑り防止部材６とから構成される。
【００１３】
前記クランプ４は、挟扼部１１ａ，１１ｂと把持部１２ａ、１２ｂを備える２個のアーム１３ａ，１３ｂを互いに対向させて交点を支点１４として枢着させ、挟扼部１１ａ，１１ｂが発条１５によって互いに離反するように構成され、把持部の停止位置でロックされるオートロック手段２とロック解除手段３を有し、ペットボトルが傷や変形を生じないで且つ確実に固定されるように、挟扼部の内側に弾性素材からなる弾性防滑部材１６を設けてなる。
【００１４】
２個のアーム１３ａ，１３ｂは、硬質合成樹脂又は金属などからなり、支点を基点として、その一方側に角形の挟扼部１１ａ，１１ｂ、他方側に把持部１２ａ、１２ｂが形成されている。両挟扼部１１ａ，１１ｂは、凹んだ方を内側に互いに対向して設けられており、両挟扼部１１ａ，１１ｂの内側にペットボトルを固定できる空隙ができる限りにおいて、挟扼部の形状は特に限定されるものではないが、この空隙にペットボトルを挟んだときに、ペットボトルが固定されやすいように、挟扼部の先端を閉じた状態において挟扼部の内側が６角形（図１又は図２参照）であるか、或いは４角形又は５角形（図示せず）の何れかであることが好ましい。
【００１５】
また、挟扼部の内側に設けられる弾性防滑部材１６の弾性素材としては、例えば、合成ゴム、天然ゴム、ＥＰＭ、ＥＰＤＭ、その他のエラストマー、ポリウレタン、ポリオレフィン系樹脂、ポリ塩化ビニル、ＥＶＡ、ポリ酢酸ビニル、その他の合成樹脂、これらの発泡体等があり、これらを組み合わせて用いてもよい。例えば、ポリウレタン発泡シートを挟扼部１１ａ，１１ｂの内側に設け、その表面に、図５に示す網状又は凹凸状のエラストマー発泡シートからなる防滑材を貼り合わせたものは、滑り止めと緩衝効果の点で特に好ましい。図５に示す前記の防滑材は、基板の裏側に設けられる滑り防止部材６として用いても好ましい。また、把持部１２ａ、１２ｂの外側には、滑り防止と緩衝用として硬めの弾性素材で形成されたゴム製パッド１７ａ、１７ｂが装着されている。
【００１６】
オートロック手段２は、一方の把持部１２ａの端部と他方の把持部１２ｂを内側から斜め方向に連結してそれぞれに枢着される、断面が６角形からなる１本のロッド１８と、該ロッド１８を出没自在に繋ぐロッド受部１９と、Ｌ字型のロック解除レバー２０の先端部近辺でやや鋭角に折曲がった折曲部２１とから構成される。ロッド受部１９の先端には、その折曲部２１の中央に穿設された貫通孔にロッド１８が貫通した状態で枢着されている。また、ロック解除手段３は、Ｌ字型のロック解除レバー２０とそれに関連するロッド１８等から構成される。
【００１７】
ロック解除レバー２０先端の折曲部２１の内側とロッド受部１９先端の中間にロッド１８を貫通してコイル状バネ２２が装着されており、このコイル状バネ２２の押圧力によって折曲部２１がその先端を支点として前方に傾斜し、この折曲部２１の貫通孔の角部がロッド１８を斜め方向から押圧するためにロッド受部１９から脱出するロッド１８の移動が阻止され、把持部１２ａ、１２ｂの開脚運動がオートロックされる。このオートロックは、ロック解除レバー２０を握ることによって、前記の制動が解かれロックが解除される。
【００１８】
クランプ４を固着する基板５は、クランプ４を安定して固着保持する限りにおいて素材、大きさ、形状などが特に限定されるものではない。例えば、硬質のプラスチック製板、木製板、金属製板などが用いられる。この基板５にクランプ４を取り付けるには、特に限定されるものではないが、例えば、接着剤又は接着剤を両面に塗布した両面テープ等を介して、或いは螺子やボルト・ナットを用る等によって固着する。基板面と開脚する方の挟扼部は、開脚する際に基板面を擦らない程度にやや間隙を開けて固着することが好ましい。しかし、この間隙を広く開けすぎると、ペットボトルを基板５にセットする際に、挟扼部１１ａ，１１ｂがペットボトルの底部よりも上位を挟扼することとなる結果、ペットボトルは挟扼部から受ける圧縮力に対抗できず変形または傷つけられる恐れがあり好ましくない。
【００１９】
特に、炭酸飲料入りのペットボトルは変形又は傷をつけることにより炭酸飲料を周りに吹き散らし周囲に迷惑を及ぼすばかりでなく危険でもある。本考案の特徴の一つは、図３又は４に示すように、挟扼部１１ａ，１１ｂがペットボトル２６の底部近辺を挟扼し、ペットボトル２６が受ける圧縮力をペットボトルの底部で受け止めることによって、ペットボトル２６を変形または傷つけることなく確実に固定することができることにあり、これにより使用者の安心と安全が確保される。また、ペットボトルを垂直に保持するために、なるべく挟扼部１１ａ，１１ｂの内面が基板面と垂直になるように設けることが好ましい。
【００２０】
次に、図２及び図４の第二例に示すペットボトル用キャップオープナー１は、第一例に示すペットボトル用キャップオープナー１の基板５と基板の裏側に設けた滑り防止部材６に代えて、クランプ４に備わる２個のアーム１３ａ，１３ｂの一方のアーム１３ａ（挟扼部１１ａ）の片面にクリップ２３の狭持部２４の片側を重ね合わせて、狭持部２４とアーム１３ａをボルト・ナット２９、かしめ、溶接、その他の固定材で固着してなる以外は、第一例と同様である。
【００２１】
本考案の固定具は、着脱容易なクリップ状形態をなしクランプ４を平板に固定しうる限りにおいて特に限定されるものではないが、文房具類等として市販されているクリップが好ましい。図４に示すように、本ペットボトル用キャップオープナー１をクリップ２３側を下方に向けて、クリップ２３の狭持部２４でテーブルの天板等平板２５の側縁部に固定して用いる。確実に固定するためには、クリップ２３の狭持部２４と平板の間にゴムシート等の滑り防止材を介して固定することが好ましい。或いは、予め滑り防止材をクリップ２３の狭持部２４の内面に貼り付けておいてもよい。
【００２２】
前記第一例及び第二例に示すペットボトル用キャップオープナー１において、基板面に固着するアーム或いは前記固定具又はクリップを固着するアームは、ロック解除手段３のロック解除レバー２０を操作する側の把持部１２ｂを備えたアーム１３ｂと対向する側のアーム１３ａが好ましく、係るアーム１３ａを基板面に固着し、或いは係るアーム１３ａ（挟扼部１１ａ）に前記固定具（クリップ２３）を固着することが好ましい。即ち、前記と逆に、アーム１３ｂを基板面に固着した場合は、挟扼部１１ａ，１１ｂを閉じた状態でロック解除レバー２０を操作すると、不意にアーム１３ａが開脚する危険性があるからである。これに対して、第一例又は第二例の場合は、ロック解除レバー２０を操作する際に、必ず開脚する側の把持部１２ｂを掴んでいるので不意にアーム１３ｂが開脚する恐れがない。
【００２３】
第一例及び第二例に示すペットボトル用キャップオープナーに用いるクランプによれば、３５０ミリリットル〜２リットルを含む範囲のペットボトルを挟扼することが可能であり、市販の飲料用ペットボトルは、ほぼこの範囲に含まれる。また、本発明のキャップオープナーは、主としてペットボトルのキャップを開栓するものであるが、ペットボトルに限定するものではなく、ポリエチレンテレフタレート以外の合成樹脂製ボトルやガラス製ボトルなどあらゆる容器の開栓に用いられる。
【産業上の利用可能性】
【００２４】
本考案は、片手が不自由な人であっても、正常な方の片手のみでペットボトルのキャップを簡単に開閉できるので、世の中の片手が不自由な人たちにとっては不可欠な必需品の一つであり、且つ、経済的にリーズナブルな価格で提供できるので産業上有用であり充分に産業上の利用可能性を有する。
【図面の簡単な説明】
【００２５】
【図１】本考案の第一例に係るペットボトル用キャップオープナーを示す平面図である。
【図２】本考案の第二例に係るペットボトル用キャップオープナーを示す平面図である。
【図３】本考案の第一例に係るペットボトル用キャップオープナーの使用例を示す斜視図である。
【図４】本考案の第二例に係るペットボトル用キャップオープナーの使用例を示す斜視図である。
【図５】本考案の第一例に係るペットボトル用キャップオープナーの基板に貼り合わせた状態の滑り防止部材を例示する写真である。
【符号の説明】
【００２６】
１：ペットボトル用キャップオープナー、２：オートロック手段、３：ロック解除手段、４：クランプ、５：基板、６：滑り防止部材、
１１ａ，１１ｂ：挟扼部、１２ａ、１２ｂ：把持部、１３ａ，１３ｂ：アーム、１４：支点、１５：発条、１６：弾性防滑部材、１７ａ、１７ｂ：ゴム製パッド、１８：ロッド、１９：ロッド受部、２０：ロック解除レバー、２１：折曲部、２２：コイル状バネ、２３：クリップ、２４：クリップの狭持部、２５：テーブル等の平板、２６：ペットボトル、
２７：キャップ、２８：リング状部材、２９：ボルト・ナット
【図１】
0003138734.tif 000003
【図２】
0003138734.tif 000004
【図３】
0003138734.tif 000005
【図４】
0003138734.tif 000006
【図５】
0003138734.tif 000007